(57)【要約】【課題】光ファイバの断線を防止した光ファイバアレイを提供する。【解決手段】少なくとも、光テープファイバ芯線の端末の被覆を除去した光ファイバと、該光ファイバをアレイ状に収容する複数のＶ溝を有するＶ溝部と該Ｖ溝部と段差部を有し光テープファイバ芯線の被覆部を載置する搭載部を有するＶ溝基板と、該Ｖ溝部に収容された前記光ファイバを該Ｖ溝部に押しつけて接着剤により該光ファイバを固定する蓋部材と、前記光テープファイバ芯線の被覆部をＶ溝基板の搭載部に固定するための接着剤を具備し、前記光テープファイバ芯線の被覆部を固定するための接着剤は、塗布後の流動性が低く、接着剤塗布形状をほぼ維持可能な接着剤と、硬度が４０以下で硬化後に弾力性のある接着剤の２種類の接着剤を具備する光ファイバアレイとする。【選択図】      図３
2004157313.tif 000002
【特許請求の範囲】
【請求項１】
少なくとも、光テープファイバ芯線の端末の被覆を除去した光ファイバと、該光ファイバをアレイ状に収容する複数のＶ溝を有するＶ溝部と該Ｖ溝部と段差部を有し光テープファイバ芯線の被覆部を載置する搭載部を有するＶ溝基板と、該Ｖ溝部に収容された前記光ファイバを該Ｖ溝部に押しつけて接着剤により該光ファイバを固定する蓋部材と、前記光テープファイバ芯線の被覆部をＶ溝基板の搭載部に固定するための接着剤を具備し、前記光テープファイバ芯線の被覆部を固定するための接着剤は、塗布後の流動性が低く、接着剤塗布形状をほぼ維持可能な接着剤と、硬度が４０以下で硬化後に弾力性のある接着剤の２種類の接着剤を具備することを特徴する光ファイバアレイ。
【請求項２】
前記接着剤において、光テープファイバ芯線の被覆部を載置する搭載部の外周側に流動性の低い接着剤を塗布し、前記流動性の低い接着剤の内側に硬度４０以下で弾力性のある接着剤を塗布することを特徴とする請求項１記載の光ファイバアレイ。
【発明の詳細な説明】
【０００１】
【発明の属する技術分野】
本発明は光ファイバアレイに関するものである。
【０００２】
【従来の技術】
図４は従来の光ファイバアレイの製造方法を示す図で、（ａ）は正面図、（ｂ）は側面図である。Ｖ溝基板１０、Ｖ溝部１０ａ、搭載部１０ｂ、光テープファイバ芯線５、被覆を除去した光ファイバ５ａ、蓋部材１１、Ｖ溝部接着剤１２、搭載部接着剤１３、光テープファイバ芯線被覆部５ｂ、段差部１４、Ｖ溝１５である。
【０００３】
従来の光ファイバアレイはＶ溝１５を有するＶ溝部１０ａと段差部１４を介してＶ溝部１０ａと一体化されている搭載部１０ｂを有するＶ溝基板１０と、Ｖ溝部１０ａに配置された光ファイバ５ａを押しつけ固定する蓋部材１１より構成される。従来技術資料としては、例えば特開平１０−６２６５１号公報等がある。
【０００４】
つづいて光ファイバアレイの組立方法を説明する。光テープファイバ芯線５の被覆部を除去した光ファイバ５ａをＶ溝部１０ａにアレイ状に配置する。その後蓋部材１１をＶ溝部１０ａに被せ、Ｖ溝部接着剤１２を隙間から流し込み接着固定する。また光テープファイバ芯線５の被覆部５ｂが搭載される搭載部１０ｂにも搭載部接着剤１３が塗布され搭載部１０ｂと光テープファイバ芯線５の被覆部５ｂが接着固定される。Ｖ溝部接着剤１２は紫外線硬化型又は熱硬化型あるいは紫外線硬化と熱硬化の併用したエポキシ系のものが用いられる。また、光テープファイバ芯線５の被覆部５ｂを固定する搭載部接着剤１３は光テープファイバ芯線５に生じる応力を吸収させるため、Ｖ溝部１０ａで使うＶ溝部接着剤１２よりも軟らかい材質のものが用いられる。
【０００５】
【発明が解決しようとする課題】
上記のような構造の光ファイバアレイの場合、Ｖ溝部１０ａと搭載部１０ｂの境にある段差部１４の周辺の光ファイバ５ａに応力は集中する。なぜならＶ溝部１０ａと搭載部１０ｂでは光ファイバ５ａの固定構造に違いがあるため線膨張係数に差が生じるためである。このため応力を吸収させる柔らかい弾力性のある材質の搭載部接着剤１３を用いる。しかし一般的に柔らかい弾力性のある接着剤は流動性が高く、表面張力が小さい。その為、せっかく塗布した接着剤が十分に段差部１４周辺の光ファイバに付着せずそのほとんどが被覆部５ｂとＶ溝基板１０との間に浸透したりまたは搭載部１０ｂ側面から流れだしてしまう。その結果、段差部１４周辺の光ファイバに接着剤を付着させることが難しく、光テープファイバ芯線５に生じる応力を搭載部接着剤１３に吸収させることが十分にできない。その為外部の温度変動の影響で光ファイバ５ａの断線という問題が生じることがある。
【０００６】
【課題を解決するための手段】
少なくとも、光テープファイバ芯線の端末の被覆を除去した光ファイバと、該光ファイバをアレイ状に収容する複数のＶ溝を有するＶ溝部と該Ｖ溝部と段差部を有し光テープファイバ芯線の被覆部を載置する搭載部を有するＶ溝基板と、該Ｖ溝部に収容された前記光ファイバを該Ｖ溝部に押しつけて接着剤により該光ファイバを固定する蓋部材と、前記光テープファイバ芯線の被覆部をＶ溝基板の搭載部に固定するための接着剤を具備し、前記光テープファイバ芯線の被覆部を固定するための接着剤は、塗布後の流動性が低く、接着剤塗布形状をほぼ維持可能な接着剤と、硬度が４０以下で硬化後に弾力性のある接着剤の２種類の接着剤を具備する光ファイバアレイとする。
【０００７】
前記接着剤において、光テープファイバ芯線の被覆部を載置する搭載部の外周側に流動性の低い接着剤を塗布し、前記流動性の低い接着剤の内側に硬度４０以下で弾力性のある接着剤を塗布する光ファイバアレイとする。
【０００８】
【発明の実施の形態】
以下に本発明の実施形態を図１から図３において説明する。図１は本発明の光ファイバアレイを示す分解斜視図である。図２は本発明の光ファイバアレイを示す斜視図である。図３は本発明の光ファイバアレイを示す上面図及び側面断面図である。
【０００９】
本発明の光ファイバアレイについて図１を参照して説明する。
複数の平行なＶ溝２ａが形成されたＶ溝部２に光テープファイバ芯線５の被覆部を除去した光ファイバ５ａをアレイ状に整列配置する。次に蓋部材４をＶ溝基板１の上から覆い一定の加圧をしながら光ファイバ５ａを押さえる。この時、Ｖ溝部２の延長上にある搭載部３には段差部３ａが形成されており、その深さは光テープファイバ芯線５の被覆部５ｂと被覆を除去した外径寸法の差により光ファイバ５ａをＶ溝基板１上に置いたとき光軸が曲がることのないようにＶ溝部２の高さより低くなっている。
【００１０】
次にＶ溝基板１と光ファイバ５ａの隙間には図３に示すように紫外線硬化接着剤８を浸透させる。更に光テープファイバ芯線５の被覆部５ｂを搭載している搭載部３に紫外線硬化接着剤９を塗布する。この時、まず段差部３ａ周辺の光ファイバ５ａを除く搭載部３の外周部に流動性が低く、塗布後の形状を維持できる紫外線硬化接着剤９ｂを用いる。次に紫外線硬化接着剤９ｂで囲まれた前記段差部３ａ周辺の光ファイバ５ａ付近に、硬度が４０以下で硬化後に弾力性のある接着剤９ａを塗布する。これはＶ溝基板１とＶ溝部２に塗布した紫外線硬化接着剤８との線膨張係数の違いにより、温度変化等により膨張収縮した場合、互いに原形を留めようとする力が働き、その結果段差部３ａ周辺の光ファイバ５ａに応力が集中することになるが、硬度が４０以下で硬化後に弾力性のある接着剤であれば光テープファイバ芯線５の応力集中で生じる歪みを吸収して光ファイバ５ａの断線等の防止ができるためである。温度サイクル試験を実施し実験したところ硬度４０（ＪＩＳ−Ｋ−６３０１）以下の軟質接着剤が好ましい。
【００１１】
一般的に硬化後に弾力性がある接着剤は流動性が高く、光テープファイバ芯線５の段差部３ａ周辺部に塗布してもその流動性の高さから十分に光テープファイバ芯線５の段差部３ａ周辺の光ファイバ５ａに塗布することができず被覆部５ｂとＶ溝基板の搭載部３との隙間に流れ込んでしまい段差部３ａ周辺の光ファイバ５ａに接着剤が付着せず応力集中で生じる歪みを吸収することができなくなる。それを防止するために硬さの違う２種類の接着剤を用い、最初に流動性の低い接着剤を塗布してダムの役割をさせ光テープファイバ芯線５の段差部３ａ周辺に接着だまり用の空間を確保する。これにより光ファイバ５ａに硬化後に弾力性がある接着剤が付着する。
【００１２】
紫外線硬化接着剤９に紫外線を照射して硬化させることにより、光テープファイバ芯線５とＶ溝基板１が固定される。その後、光ファイバアレイ先端を研磨して完成となる。
【００１３】
【発明の効果】
以上、本発明によれば次のような効果を発揮する。
【００１４】
２種類の接着剤を用いＶ溝基板の段差部周辺の光ファイバ付近に硬化後に弾力性がある接着剤が付着するようにすることで、応力集中により生じる歪みを吸収することができ、光ファイバの断線を防ぐことができる。
【００１５】
流動性の低い接着剤で段差部周辺に接着だまりを設けることにより、硬化後に弾力性がある接着剤を確実に光ファイバ付近に付着させることができる。これにより光テープファイバ芯線への応力集中で生じる歪みを吸収することができ光ファイバの断線を防ぐことができる。
【図面の簡単な説明】
【図１】本発明の光ファイバアレイを示す分解斜視図。
【図２】本発明の光ファイバアレイを示す斜視図。
【図３】本発明の光ファイバアレイを示す上面図及び側面断面図。
【図４】従来の光ファイバアレイの製造方法を示す図で、（ａ）は正面図、（ｂ）は側面図。
【符号の説明】
１    Ｖ溝基板
２    Ｖ溝部
２ａ  Ｖ溝
３    搭載部
３ａ  段差部
４    蓋部材
５    光テープファイバ芯線
５ａ  光ファイバ
５ｂ  被覆部
８    紫外線硬化接着剤
９    紫外線硬化接着剤
９ａ  軟質の紫外線硬化接着剤
９ｂ  硬質の紫外線硬化接着剤
１０    Ｖ溝基板
１０ａ  Ｖ溝部
１０ｂ  搭載部
１１    蓋部材
１２    Ｖ溝部接着剤
１３    搭載部接着剤
１４    段差部
１５    Ｖ溝
【図１】
2004157313.tif 000003
【図２】
2004157313.tif 000004
【図３】
2004157313.tif 000005
【図４】
2004157313.tif 000006